(57)【要約】【課題】  耐ダスト性と低トルク性を両立することが出来る密封装置を提供する。【解決手段】  密封装置１０は、ハウジング５０と前記ハウジング５０に設けられた軸孔５１に挿通する回転軸５２との間に装着され、前記回転軸５２と摺動自在に接触することで、機外側Ａのダストが機内側Ｂへ侵入することを防止するダストリップを備えたものであって、ダストリップ３１は、機内側Ｂから機外側Ａへ向けて延びるとともに、回転軸５２と摺動自在に接触する第一ダストリップ３２と、第一ダストリップ３２より機内側Ｂへ設けられ、機内側Ｂから機外側Ａへ向けて延びるとともに、回転軸５２と摺動自在に接触する第二ダストリップ３３とを有することを特徴とする。【選択図】図１
0003207793.tif 000002
【実用新案登録請求の範囲】
【請求項１】
ハウジングと前記ハウジングに設けられた軸孔に挿通する回転軸との間に装着され、前記回転軸と摺動自在に接触することで、機外側のダストが機内側へ侵入することを防止するダストリップを備えた密封装置において、
前記ダストリップは、機内側から機外側へ向けて延びるとともに、前記回転軸と摺動自在に接触する第一ダストリップと、前記第一ダストリップより機内側へ設けられ、機内側から機外側へ向けて延びるとともに、前記回転軸と摺動自在に接触する第二ダストリップとを有することを特徴とする密封装置。
【請求項２】
請求項１に記載の密封装置において、
前記ダストリップの機内側には、機外側から機内側へ向けて延び、回転軸と摺動自在に接触することで、機内側からの検査用エアをシールし、前記検査用エアによって前記ダストリップが開弁することを防止するエアリーク検査用リップが形成されていることを特徴とする密封装置。
【考案の詳細な説明】
【技術分野】
【０００１】
本考案は、密封装置に係り、詳しくは、機外側からのダストの侵入を防止する密封装置に関する。
【背景技術】
【０００２】
従来より、図４に示す密封装置５１０が知られている。この密封装置５１０は、ハウジング５５０とハウジング５５０に設けられた軸孔５５１に挿通する回転軸５５２との間に装着されるものであって、ハウジング５５０の内周と嵌合する金属環５２０と、この金属環５２０に被着され、機内側Ｂから機外側Ａへ向けて延び、回転軸５５２と摺動自在に接触するダストリップ５３１とを備えている。
【０００３】
この密封装置５１０によれば、ダストリップ５３１が回転軸５５２と摺動自在に接触することによって、機外側Ａのダストが機内側Ｂへ侵入することを防止する。
【先行技術文献】
【特許文献】
【０００４】
【特許文献１】特開２００９−１７４５５５号公報
【考案の概要】
【考案が解決しようとする課題】
【０００５】
しかし、上記構成の密封装置５１０は、以下の点で更なる改善の余地がある。
【０００６】
すなわち、上記構成の密封装置５１０における機外側Ａからのダストの侵入に対する耐ダスト性を向上させるためには、ダストリップ５３１の締め代を増大させることが考えられるが、ダストリップ５３１の締め代の増大は、摺動トルクの増加を招く可能性がある。
【０００７】
また、上記構成の密封装置５１０における摺動トルクを低減させるには、ダストリップ５３１を薄肉にすることでダストリップ５３１の締め代を減少させることが考えられるが、単に１枚のダストリップ５３１を薄肉にすると、機外側Ａから機内側Ｂへのダストの侵入を招く可能性がある。
【０００８】
本考案は、以上のような点に鑑みてなされたものであって、その技術的課題は、耐ダスト性と低トルク性を両立することができる密封装置を提供することにある。
【課題を解決するための手段】
【０００９】
上述した技術的課題を有効に解決するための手段として、本考案の密封装置は、ハウジングと前記ハウジングに設けられた軸孔に挿通する回転軸との間に装着され、前記回転軸と摺動自在に接触することで、機外側のダストが機内側へ侵入することを防止するダストリップを備えた密封装置において、前記ダストリップは、機内側から機外側へ向けて延びるとともに、前記回転軸と摺動自在に接触する第一ダストリップと、前記第一ダストリップより機内側へ設けられ、機内側から機外側へ向けて延びるとともに、前記回転軸と摺動自在に接触する第二ダストリップとを有することを特徴とする。
【００１０】
また、本考案において好ましくは、前記ダストリップの機内側には、機外側から機内側へ向けて延び、回転軸と摺動自在に接触することで、機内側からの検査用エアをシールし、前記検査用エアによってダストリップが開弁することを防止するエアリーク検査用リップが形成されてなるものである。
【考案の効果】
【００１１】
本考案の密封装置によれば、２枚のダストリップが回転軸と摺動自在に接触することで機外側からのダストの侵入を確実に防止する。また、２枚のダストリップによって機外側からのダストの侵入を確実に防止することができるため、２枚のダストリップを薄肉にすることができる。その結果、ダストリップの締め代が減少し、摺動トルクを低減させることができる。
【図面の簡単な説明】
【００１２】
【図１】本考案の第一実施形態に係る密封装置の断面図である。
【図２】本考案の第二実施形態に係る密封装置の断面図である。
【図３】本考案の他の実施形態に係る密封装置の断面図である。
【図４】従来技術に係る密封装置の断面図である。
【考案を実施するための形態】
【００１３】
以下において、本考案の第一実施形態に係る密封装置１０について図面に基づき詳細に説明する。図１は、本考案の第一実施形態に係る密封装置１０の断面図である。
【００１４】
本実施形態に係る密封装置１０は、ハウジング５０とハウジング５０に設けられた軸孔５１に挿通する回転軸５２との間に装着されるものであって、ハウジング５０の内周側に嵌合される金属環２０と、この金属環２０に被着されたゴム状弾性体３０とを備える。
【００１５】
金属環２０は、全体として断面Ｌ字状をなし、軸方向に延びてハウジング５０の内周側と嵌合する筒状部２１と、この筒状部２１の機内側Ｂの端部から内径方向に延びるフランジ部２２を有する。
【００１６】
ゴム状弾性体３０は、外周面３４がハウジング５０の内周面に嵌合され、内周側には、回転軸５２と摺動自在に接触することで、機外側Ａからのダストの侵入を防止する薄肉のダストリップ３１を有する。
【００１７】
ダストリップ３１は、そのリップ基端からリップ先端にかけて機内側Ｂから機外側Ａへ向けて延びるとともに、回転軸５２と摺動自在に接触する第一ダストリップ３２と、第一ダストリップ３２より機内側Ｂへ設けられ、機内側Ｂから機外側Ａへ向けて延びるとともに、回転軸５２と摺動自在に接触する第二ダストリップ３３とを有する。
【００１８】
以上より、本実施形態に係る密封装置１０によれば、従来技術における密封装置５１０のダストリップ５３１に対して、第一ダストリップ３２及び第二ダストリップ３３のいずれもが回転軸５２に摺動自在に接触するため、機外側Ａからのダストの侵入を確実に防止することができる。
【００１９】
また、本実施形態に係る密封装置１０によれば、第一ダストリップ３２及び第二ダストリップ３３によって、機外側Ａからのダストの侵入を確実に防止することができるため、第一ダストリップ３２及び第二ダストリップ３３を薄肉にしても、機外側Ａから機内側Ｂへダストが侵入するおそれがなくなる。これにより、密封装置１０におけるダストリップ３１を薄肉にすることができ、その結果として、ダストリップ３１の締め代が減少し、摺動トルクを低減させることができる。
【００２０】
以上により、本実施形態に係る密封装置１０は、耐ダスト性と低トルク性を両立させることができる。
【００２１】
次に、本考案の第二実施形態に係る密封装置１０について図面に基づき詳細に説明する。図２は、本考案の第二実施形態に係る密封装置１０の断面図である。
【００２２】
すなわち、本実施形態に係る密封装置１０は、第一実施形態に係る密封装置１０に対して、ゴム状弾性体３０に密封装置１０出荷時に行われるエアリーク検査のためのエアリーク検査用リップ４０が形成されている点で相違する。
【００２３】
エアリーク検査は、密封装置１０の出荷時に行われることがあるものであって、検査は、一般的に機内側Ｂから正圧をかけて機外側Ａでエア漏れ量を測定することによって行なわれる。このエアリーク検査は、ダストリップ３１が正常に機能している場合であっても正圧によってダストリップ３１が開弁し、エアが開弁したダストリップ３１を通過し、その結果、機外側Ａでのエア漏れが生じることがある。
【００２４】
そのため、本実施形態に係る密封装置１０は、第二ダストリップ３３よりも機内側Ｂへ設けられ、機外側Ａから機内側Ｂへ向けて延びるとともに、回転軸５２に摺動自在に接触することで、機内側Ｂからのエアが機外側Ａに漏れないようシールし、エアによってダストリップ３１が開弁することを防止するエアリーク検査用リップ４０を設けた。
【００２５】
以上により、本実施形態に係る密封装置１０によれば、エアリーク検査用リップ４０がエアリーク検査のときに生じるエアが機外側Ａへ漏れないようシールするため、漏れしきい値をゼロ設定とする簡易なエアリーク検査を行うことができる。
【００２６】
なお、第一及び第二実施形態に係る金属環２０は、軸方向に延びてハウジング５０の内周側と嵌合する筒状部２１と、この筒状部２１の機内側Ｂの端部から内径方向に延びるフランジ部２２とを有するとしているが、図３に示すように、フランジ部２２は、筒状部２１の機外側Ａの端部から内径方向に延びてもよい。
【符号の説明】
【００２７】
１０    密封装置
２０    金属環
２１    円筒部
２２    フランジ部
３０    ゴム状弾性体
３１    ダストリップ
３２    第一ダストリップ
３３    第二ダストリップ
３４    外周面
４０    エアリーク検査用リップ
５０    ハウジング
５１    軸孔
５２    回転軸
Ａ      機外側
Ｂ      機内側
【図１】
0003207793.tif 000003
【図２】
0003207793.tif 000004
【図３】
0003207793.tif 000005
【図４】
0003207793.tif 000006